(57)【要約】【課題】送話ができないことを発話前に示すことのできる住宅情報盤を得る。【解決手段】玄関機と通話する住宅情報盤であって、玄関機との間で音声信号を送受信する通話部５１と、通話部５１の送話と受話の方向を切り替えるスイッチ５３と、スイッチ５３の切替動作を制御する制御部５４と、玄関機と当該住宅情報盤の発話音量を比較する音量比較部５６と、制御部５４の指示に基づき画面表示を行う表示部６０と、を備え、制御部５４は、音量比較部５６の比較結果を取得し、発話音量が大きい方が送話側となるようにスイッチ５３を切り替えるとともに、当該住宅情報盤が受話側である場合には、その旨を表示部６０に画面表示させる。【選択図】図２
2009049960.tif 000002
【特許請求の範囲】
【請求項１】
玄関機と通話する住宅情報盤であって、
前記玄関機との間で音声信号を送受信する通話部と、
前記通話部の送話と受話の方向を切り替えるスイッチと、
前記スイッチの切替動作を制御する制御部と、
前記玄関機と当該住宅情報盤の発話音量を比較する音量比較部と、
前記制御部の指示に基づき画面表示を行う表示部と、
を備え、
前記制御部は、
前記音量比較部の比較結果を取得し、
発話音量が大きい方が送話側となるように前記スイッチを切り替えるとともに、
当該住宅情報盤が受話側である場合には、その旨を前記表示部に画面表示させる
ことを特徴とする住宅情報盤。
【発明の詳細な説明】
【技術分野】
【０００１】
本発明は、玄関機とインターホン通話を行う住宅情報盤に関するものであり、特に、玄関機と住宅情報盤の間で交互に通話する方式を用いるものに関する。
【背景技術】
【０００２】
従来、集合住宅においては、集合玄関の集合玄関機と住戸の住宅情報盤との間で、インターホン通話を行うことができるようにシステムが構成されている。
これら端末（機器）におけるインターホン通話は、送話側と受話側とが同時に話せる方式もあるが、この場合には、通話の際、ハウリングが問題となる。
そこで、近年、特許文献１のようなボイススイッチ（音声スイッチ）を使用した交互通話方式によるインターホン通話が利用されるようになってきた。
交互通話方式のインターホン通話においては、ボイススイッチにより受話側と送話側との音声レベルを比較して、音声レベルの大きい方を優先し、その大きい側が送話側となるように通話が制御される。
【０００３】
【特許文献１】特開平１０−１９０８５１号公報
【発明の開示】
【発明が解決しようとする課題】
【０００４】
しかし、交互通話では、いずれか一方側しか話をすることができないため、両者が同時にしゃべったりすると、思うようにインターホン通話を行うことができない。
【０００５】
本発明は、上記のような課題を解決するためになされたものであり、送話ができないことを発話前に示すことのできる住宅情報盤を得ることを目的とする。
【課題を解決するための手段】
【０００６】
本発明に係る住宅情報盤は、玄関機と通話する住宅情報盤であって、前記玄関機との間で音声信号を送受信する通話部と、前記通話部の送話と受話の方向を切り替えるスイッチと、前記スイッチの切替動作を制御する制御部と、前記玄関機と当該住宅情報盤の発話音量を比較する音量比較部と、前記制御部の指示に基づき画面表示を行う表示部と、を備え、前記制御部は、前記音量比較部の比較結果を取得し、発話音量が大きい方が送話側となるように前記スイッチを切り替えるとともに、当該住宅情報盤が受話側である場合には、その旨を前記表示部に画面表示させるものである。
【発明の効果】
【０００７】
本発明に係る住宅情報盤によれば、当該住宅情報盤が受話側である場合に、その旨が表示部に画面表示されるので、発話をしても音声が通話相手方に到達しないことが事前に分かり、スムーズな会話を行うことができる。
【発明を実施するための最良の形態】
【０００８】
実施の形態１．
図１は、本発明の実施の形態１に係るインターホンシステムの全体構成図である。
図１に示すインターホンシステムは、マンションなどの集合住宅に設置され、集合玄関、管理人室、各住戸の間で通信を行うものである。
図１において、集合玄関機１０は、集合住宅の集合玄関に設置され、住人が帰宅時に集合玄関の施錠を解錠したり、集合住宅の訪問者が各住戸を呼び出したりするために使用するものである。
管理室親機３０は、集合住宅の管理人室などに設置され、各住戸の呼び出しや、後述の一斉放送を行うために使用するもので、また住宅情報盤４１との間で通信を行うものである。
住戸４０ａ、４０ｂは、集合住宅の各住戸である。図１では２つの住戸のみ表示し、その他の住戸は記載を省略した。以下、住戸４０ａの構成について説明するが、住戸４０ｂその他の住戸も、構成は同様である。
【０００９】
住戸４０ａは、住宅情報盤４１ａ、ドアホン４２ａを備える。
住宅情報盤４１ａは、住戸４０ａの宅内に設置され、住人がインターホン通話を行うための端末として使用され、また、訪問者をカメラ撮像した画像の画面表示を行う。
ドアホン４２ａは、住戸４０ａの玄関前に設置され、住戸４０ａの訪問者が宅内の住宅情報盤４１ａを呼び出す際に使用する。
なお、住宅情報盤４１には、図示を省略するが、火災感知器、ガス漏れ警報器などの防災用のセンサが接続されている。
【００１０】
なお、図１において通話制御装置２０と各住戸を接続する線は１本のみ記載しているが、実際には後述の図２で示すように、通話信号線、制御信号線など、複数の通信線が接続されている。
【００１１】
以上、図１のインターホンシステムの全体構成について説明した。
次に、本実施の形態１における住宅情報盤４１ａの詳細について説明する。
なお、住宅情報盤４１ａ、４１ｂ等の構成は全て同様であるため、以後「住宅情報盤４１」と呼ぶときは、これらに共通の事項を指すものであることとする。
【００１２】
図２は、住宅情報盤４１の機能ブロック図である。
住宅情報盤４１は、通話部５１、送受信部５２、スイッチ５３、制御部５４、呼出音出力部５５、信号レベル比較部５６、アンプ５７ａおよび５７ｂ、スピーカ５８、マイク５９、表示部６０、操作部６１を備える。
なお、スイッチ５３、信号レベル比較部５６、制御部５４をまとめて一つのボイススイッチで構成することができ、このボイススイッチにより送話と受話の方向を切り替える切替動作が行われる。
【００１３】
通話部５１は、通話信号線を介して通話制御装置２０に接続されており、通話制御装置２０との間で通話音声信号を送受信し、この通話部５１を通して、集合玄関機１０又はドアホン４２と通話を行うことができる。
送受信部５２は、制御信号線を介して通話制御装置２０に接続されており、通話制御装置２０との間で制御信号を送受信する。
スイッチ５３は、制御部５４の指示に基づき、送話側と受話側を切り替える機能を備える。図２では上側と下側の２つのスイッチを記載しているが、規定の状態は、双方ともＯＦＦ状態か、上側のスイッチ（受話側）だけがＯＮ状態で、アイドル状態となっている。スイッチ５３の動作については、後に改めて説明する。
なお、スイッチ５３は送話と受話の切替を説明するためにイメージ的に示したもので、実際は後述の図６のような回路構成となる。
【００１４】
制御部５４は、信号レベル比較部５６の比較結果を受け取り、スイッチ５３の切り替え動作を制御する。また、表示部６０の画面表示内容を指示する。その他、呼出音出力部５５の動作制御、操作部６１からの操作入力の受け付け、送受信部５２との信号のやり取りなどを行う。
制御部５４の制御動作の詳細は、後に改めて説明する。この制御部５４は、マイコンやＣＰＵなどの演算装置で構成することができる。
【００１５】
音量比較部としての信号レベル比較部５６は、例えばコンパレーターによって構成され、通話先から受信した通話音声信号の信号レベルと、住宅情報盤４１のマイク５９に入力された発話音声信号（発話音量）の信号レベルとを比較し、比較結果を制御部５４に出力する。
アンプ５７ａは、通話部５１を通して受信した通話音声信号を増幅し、スピーカ５８に出力する。
アンプ５７ｂは、マイク５９に入力された発話音声信号を増幅し、通話部５１に出力する。
【００１６】
呼出音出力部５５は、制御部５４の指示に基づき、呼出音を音声出力するもので、スピーカ５８を兼用してもよい。
スピーカ５８は、通話先から受信した通話音声信号を音声出力する。
マイク５９は、居住者の発話音声を入力して通話先に通話音声信号を出力するために使用される。
表示部６０は、制御部５４の指示に基づき、後述の図３で説明する画面表示を行う。
操作部６１は、通話ボタンなどで構成され、押されたとき信号を制御部５４に出力する。
【００１７】
次に、訪問者が住戸４０ａを訪れるものと仮定して、集合玄関機１０と住宅情報盤４１ａの間で通話を行う際の住宅情報盤４１ａの詳細動作について、以下のステップ（１）〜（６）で説明する。
【００１８】
（１）訪問者は、集合玄関に設置されている集合玄関機１０の操作ボタンを操作し、住戸４０ａの部屋番号を指定して、呼び出しボタンを押下する。
（２）集合玄関機１０は、住戸４０ａ宛の呼び出し信号を出力する。
（３）通話制御装置２０は、制御信号線を介して、住宅情報盤４１ａに呼び出し信号を送信する。
【００１９】
（４）住宅情報盤４１ａの送受信部５２は、呼び出し信号を受信し、制御部５４に出力する。制御部５４は、呼出音出力部５５に呼び出し音を出力するよう指示する。呼出音出力部５５は、呼び出し音を音声出力して、住戸４０ａの住人に訪問者の来訪を知らせる。
（５）住戸４０ａの住人は、住宅情報盤４１ａの操作部６１に備えられた通話ボタンを押下する。その旨の信号が制御部５４に出力され、送受信部５２を介して通話制御装置２０に送信される。なお、この際、通話部５１の図示しないスイッチがＯＮする。
（６）通話制御装置２０は、集合玄関機１０と住宅情報盤４１ａの間の通信を確立する。訪問者と住戸４０ａの住人は、各端末を使用して通話を行う。
【００２０】
次に、集合玄関機１０と住宅情報盤４１ａの間で通話が行われる際の詳細動作について、以下のステップ（７）〜（１５）で説明する。
【００２１】
（７）住戸４０ａの住人は、上記ステップ（６）に続いて、マイク５９で集合玄関機１０へ宛てて「はい、○○○です。」などの返答発話音声を入力する。マイク５９は、入力された発話音声の音声信号を出力する。この音声信号は、信号レベル比較部５６に入力される。
（８）信号レベル比較部５６は、集合玄関機１０からの受信音声信号の信号レベルと、住宅情報盤４１のマイク５９に入力された発話音声信号の信号レベルとを比較し、比較結果を制御部５４に出力する。ここでは住戸４０ａの住人のみが発話しているため、発話側（送話側）の信号レベルの方が高くなる。
【００２２】
（９）制御部５４は、比較結果を受け取り、信号レベルが高い方が送話側、低い方が受話側と判断して、スイッチ５３を切り替える。ここでは住宅情報盤４１ａの送話側のラインをいかすように、図２におけるスイッチ５３の下側をＯＮ、上側をＯＦＦにする。
（１０）発話音声信号は、通話部５１、通話信号線、通話制御装置２０を介して、集合玄関機１０に送信される。居住者からの発話が終了すると、信号レベルが同じになるのでスイッチ５３は双方ともＯＮに戻る。
【００２３】
（１１）訪問者は、集合玄関機１０のマイクを使用して、来訪の目的等を発話する。その音声信号は、通話制御装置２０、通話信号線、通話部５１、スイッチ５３を介して、信号レベル比較部５６に入力される。
（１２）信号レベル比較部５６は、ステップ（８）と同様の比較を行い、比較結果を制御部５４に出力する。ここでは訪問者のみが発話しているため、受信音声信号レベルの方が高くなる。
【００２４】
（１３）制御部５４は、比較結果を受け取り、信号レベルが高い方が受話側、低い方が送話側と判断して、スイッチ５３を切り替える。ここでは住宅情報盤４１ａの受話側のラインをいかすように、図２におけるスイッチ５３の上側をＯＮ、下側をＯＦＦにする。
（１４）次に、制御部５４は、表示部６０に、住宅情報盤４１ａが受話側である旨の画面表示を行うように指示する。表示例は後述の図３で説明する。
（１５）以後、集合玄関機１０が出力した音声信号は、通話制御装置２０、通話信号線、通話部５１、スイッチ５３を介して、スピーカ５８に出力される。発話が終了すると、スイッチ５３は双方ともＯＦＦに戻る。
【００２５】
集合玄関機１０と住宅情報盤４１ａの双方で発話を行った場合は、以下のステップ（１６）〜（１８）のような動作が行われる。
【００２６】
（１６）集合玄関機１０が出力した音声信号は、通話制御装置２０、通話信号線、通話部５１、スイッチ５３を介して、信号レベル比較部５６に入力される。また、マイク５９に入力された音声信号も、同様に信号レベル比較部５６に入力される。
（１７）信号レベル比較部５６は、ステップ（８）と同様の比較を行い、比較結果を制御部５４に出力する。
（１８）制御部５４は、比較結果を受け取り、信号レベルが高い方が優先して通話を行えるように、スイッチ５３を切り替える。住宅情報盤４１ａが受話側となる場合には、ステップ（１４）と同様に、その旨の画面表示を行うように表示部６０へ指示する。
【００２７】
図３は、表示部６０の画面表示例を示すものである。
集合玄関機１０がカメラを備えている場合、その映像信号が通話制御装置２０を介して住宅情報盤４１ａに送信され、表示部６０の中央に訪問者が表示される。また、画面下部には、集合玄関機１０からの呼出である旨が表示されている。
【００２８】
さらに、通話の際、住宅情報盤４１ａが受話側である場合は、その旨を表示部６０にて画面表示することを、上記ステップ（１４）で説明した。これをアイコンのような画像で表示すると、交互通話において玄関機側からの話しが優先されて、こちらが受話側であることが住人にとって分かりやすい。
ここでは、図３（ａ）に示すように、表示部６０の左下に、現在受話中であるため発話できない旨の表示（発話禁止表示）を、同図に示すようなマイクに×マークをつけたアイコン画像で表示する例を示す。図３（ｂ）は、発話禁止表示の拡大図である。
【００２９】
図３（ａ）（ｂ）のようなアイコン画像は、単に画面上に表示するのみでもよいが、使用者の意識を引くために点滅表示させるなど、表示効果を追加してもよい。また、アイコン画像の配色、大きさ、配置なども、使用者の目を引きやすいように工夫することが望ましい。
なお、画面中央に表示される訪問者の映像と重ならないように、画面の端に表示させることが望ましい。
【００３０】
また、図２において、信号レベル比較部５６による比較が行われる前後にアンプ５７ａ、５７ｂが配置されているが、住宅情報盤４１ａの実際の信号レベルにより、各アンプの配置や増幅率などは適宜設定すればよい。
【００３１】
また、スイッチ５３の規定の状態は、上側・下側ともＯＦＦであるとしたが、これに限る必要はなく、音量の大きい方が優先して通話を行えるように適宜構成されていればよい。切替動作についても同様である。
【００３２】
ここで、ボイススイッチ（音声スイッチ）の具体例について説明する。
ボイススイッチは、通話状態（送話状態、受話状態）を常時推定し、推定結果に基づき適切な配分で送話側及び受話側の信号経路に対して損失を挿入するものであり、通話状態を受話及び送話のいずれかに切り換えるスイッチ的な作用を有するものである。
【００３３】
ボイススイッチは、発話（音声入力）期間だけマイクから入力された音声を、ある固定されたレベルまで減衰させる二値減衰器（アッテネータ）を備えるものが多い。
【００３４】
次に図６を使用して、ボイススイッチ１５について説明する。
図において、２はマイクロホン、３は送話アンプ、４は送話アッテネータ、５は２線−４線変換回路、６は受話アンプ、７は受話アッテネータ、８はスピーカアンプ、９はスピーカ、１３は信号レベル比較部、１１は送話検出回路、１２は受話検出回路を示しており、全て住宅情報盤側に設けられる。ここでは、アッテネータ４、７が、送話と受話の方向を切り替えるスイッチ手段としての作用を有する。
【００３５】
２線−４線変換回路５により通話線を介してドアホンなどの玄関機が接続され、マイクロホン２よりドアホン側に増幅された音声が送出されると共に、ドアホン側からはスピーカ９に対して増幅された音声が受信される。マイクロホン２とスピーカ９とはハウリング防止のため、互いに距離を離したり、遮蔽したり、指向性をマイクロホンに持たせたりして音響的防止を行っているが、電気的防止方法としてボイススイッチ回路を使用している。
【００３６】
ボイススイッチ１５は、送話アッテネータ４、受話アッテネータ７、信号レベル比較部１３、送話検出回路１１、受話検出回路１２、からなり、送話側の検出出力と受話側の検出出力とを信号レベル比較部１３で比較して、比較結果に応じて受話アッテネータ７と送話アッテネータ４の減衰量を増減させ、減衰量を送話と受話と逆の増減動作によりボイススイッチ動作を行っている。
【００３７】
簡単に動作を説明する。ドアホンからの受話信号があって、住宅情報盤側からの送話信号が無い場合は、受話アッテネータ７の減衰量は小（例えば＋６ｄＢ）、送話アッテネータ４の減衰量は大（例えば−４６ｄＢ）となり、受話信号はスピーカ９を鳴音させる。ここで、スピーカ９よりマイクロフォン２へのまわり込みは、送話アッテネータ４の減衰量を大にすることで送話ラインＴに出力されることが無い。これはハウリングを防止する受話モードである。
【００３８】
一方、住宅情報盤側からの送話信号があって、ドアホンからの受話信号が無い場合は、送話アッテネータ４の減衰量が小（例えば、＋６ｄＢ）、受話アッテネータ７の減衰量が大（例えば、−４６ｄＢ）となり、マイクロフォン２の送話信号は送路ラインＴに出力される。回線から受話ラインＲに戻るまわり込み量は、受話路アッテネータ７の減衰量が大のためスピーカ９には出力されない。このようにして、ハウリングを防止する送話モードになる。なお、アイドル状態での減衰量は、例えば−２０ｄＢである。
【００３９】
このように、マイクロフォン入力がある場合は送話モード、受話路信号がある場合は受話モードとなり、送話アッテネータ４及び受話アッテネータ７の減衰量を制御することで、通話路を切換形成しながらハウリングを防止する。このようにボイススイッチのスイッチングは、音声信号の利得を減衰させて、スイッチのＯＦＦ状態としてもよい。
【００４０】
なお、本実施の形態１では、住宅情報盤４１が、玄関機としての集合玄関機１０とインターホン通話を行う場合で説明したが、玄関機としては、住戸４０の玄関に設置されるドアホン４２であってもよい。
図２では記載を省略したが、住宅情報盤４１の通話部５１には、ドアホン４２の通話回路が切り替え回路を介して接続される構成となっている。
例えば、ドアホン４２から呼び出し信号がある場合には、制御部５４が、この切り替え回路をドアホン４２側に切り替えて、ドアホン４２と住宅情報盤４１のそれぞれの通話回路を接続するように制御する。
【００４１】
以上のように、本実施の形態１によれば、集合玄関機１０と住宅情報盤４１ａのうち、発話音量が大きい方が送話側、小さい方が受話側となるように、スイッチ５３が切り替えられるので、発話音量が大きい方を優先する交互通話方式が実現される。
また、住宅情報盤４１ａが受話側となる場合には、その旨が表示部６０に画面表示されるので、住戸４０ａの住人は、発話ができないときにこれを容易かつ即座に知ることができ、スムーズな会話の進行に資する。
【００４２】
即ち、本実施の形態１によれば、発話する前に相手側が話していることを事前に知ることができるので、「発話したつもりであったが、実は相手方には聞こえていなかった」というような事態を回避でき、会話の進行がスムーズになる。
【００４３】
また、住宅情報盤４１ａが受話側である旨を、アイコン画像を用いて表示するので、受話側であることが容易かつ即座に把握され、住人にとって便宜である。
【００４４】
実施の形態２．
実施の形態１では、アイコン画像で発話禁止表示を行う例を説明した。発話禁止表示の表現形式は、必ずしも画像に限る必要はなく、文字情報で表示してもよい。本発明の実施の形態２では、その一例について説明する。
【００４５】
図４は、文字情報で発話禁止表示を行う画面表示例を示すものである。
ここでは、画面中央に大きな文字で、受話中である旨を表示する例を示したが、文字の大きさ、配色、位置、文言などは訪問者の画像が見にくくならないように適宜設定すればよい。また、文字を点滅表示するなどして、使用者の意識を引くような効果を発揮するように構成してもよい。
【００４６】
その他、受話中は表示部６０全体の背景色を変更する、などのように、アイコン画像や文字以外の表示で発話禁止表示を行うことも考えられる。
いずれの手法を用いた場合でも、発話を行う前に受話中である旨が明確に把握されることにより、実施の形態１と同様に、スムーズな会話の進行に資する。
【実施例】
【００４７】
図５は、発話禁止表示を行うためのアイコン画像の例を示すもので、それぞれしゃべらない状態を示すものである。
これらのアイコン画像は一例であり、その他の画像を用いてもよいし、複数のアイコン画像を準備しておき、その中から使用者の設定により任意のものを用いることができるように構成してもよい。さらには、使用者がアイコン画像を設定できるようにしてもよい。
【図面の簡単な説明】
【００４８】
【図１】実施の形態１に係るインターホンシステムの全体構成図である。
【図２】住宅情報盤４１の機能ブロック図である。
【図３】表示部６０の画面表示例を示すものである。
【図４】文字情報で発話禁止表示を行う画面表示例を示すものである。
【図５】発話禁止表示を行うためのアイコン画像の例を示すものである。
【図６】ボイススイッチの回路図である。
【符号の説明】
【００４９】
１０  集合玄関機、２  マイクロホン、３  送話アンプ、４  送話アッテネータ、５  ２線−４線変換回路、６  受話アンプ、７  受話アッテネータ、８  スピーカアンプ、９  スピーカ、１３  信号レベル比較部、１１  送話検出回路、１２  受話検出回路、２０  通話制御装置、３０  管理室親機、４０ａ〜４０ｂ  住戸、４１ａ〜４１ｂ  住宅情報盤、４２ａ〜４２ｂ  ドアホン、５１  通話部、５２  送受信部、５３  スイッチ、５４  制御部、５５  呼出音出力部、５６  信号レベル比較部、５７ａ〜５７ｂ  アンプ、５８  スピーカ、５９  マイク、６０  表示部、６１  操作部。
【図１】
2009049960.tif 000003
【図２】
2009049960.tif 000004
【図３】
2009049960.tif 000005
【図４】
2009049960.tif 000006
【図５】
2009049960.tif 000007
【図６】
2009049960.tif 000008